(57)【要約】【課題】ソフト着火とエアーがみ時の着火と言う相反する着火の両方を確実に行うことが出来る圧力噴霧式バーナの着火制御装置を提供する。【解決手段】圧力可変式の電磁ポンプ４は、着火時の吐出圧力を低圧力とし、更にこの着火時に着火検知されない時間が所定時間ｔ１継続した時には、吐出圧力を低圧力より高い一定圧力にシフトアップして保持し、着火動作開始から前記所定時間ｔ１より長い一定時間Ｔ内に着火検知されなければ、着火動作を停止させるので、通常時にはこのまま低圧力で着火され、爆発音や着火スモークや臭いが発生せず、良好な着火が得られるものであり、又初使用時や燃料切れからの着火では、シフトアップして強力にエアーを押し出して、確実な着火を計るものである。【選択図】  図４
2005009783.tif 000002
【特許請求の範囲】
【請求項１】
圧力可変式の電磁ポンプから吐出された燃料を噴霧ノズルに供給し、この噴霧ノズルから噴霧した燃料及び燃焼ファンからの燃焼空気を燃焼室に供給し、ここに着火スパークを飛ばして着火するものに於いて、前記電磁ポンプは、着火時の吐出圧力を低圧力とし、更にこの着火時に着火検知されない時間が所定時間継続した時には、吐出圧力を低圧力より高い一定圧力にシフトアップして保持し、着火動作開始から前記所定時間より長い一定時間内に着火検知されなければ、着火動作を停止させる事を特徴とする圧力噴霧式バーナの着火制御装置。
【請求項２】
前記着火動作を所定時間待って着火するまで複数回繰り返す事を特徴とする請求項１記載の圧力噴霧式バーナの着火制御装置。
【発明の詳細な説明】
【０００１】
【発明の属する技術分野】
この発明は家庭用の給湯機のバーナとして利用される圧力噴霧式バーナの着火制御装置に関するものである。
【０００２】
【従来の技術】
従来よりこの種のものに於いては、例えば実公昭５８−５５３１９号公報に開示されている如く、電磁ポンプから供給される燃油量を着火時には徐々に増加させるようにすることで、圧力噴霧式バーナの着火時の爆発音発生を防止するものであった。
【０００３】
【発明が解決しようとする課題】
ところでこの従来のものでは、器具設置後の初使用時や燃料切れ後の再使用時には、電磁ポンプから噴霧ノズルまでの間の送油経路にエアーが溜まり、これが着火時の低い圧力ではなかなか抜けずに時間がかかり、長時間に渡って着火が出来ず大きな問題点となるものであった。
【０００４】
【課題を解決するための手段】
この発明はこの点に着目し上記欠点を解決する為、特にその構成を、圧力可変式の電磁ポンプから吐出された燃料を噴霧ノズルに供給し、この噴霧ノズルから噴霧した燃料及び燃焼ファンからの燃焼空気を燃焼室に供給し、ここに着火スパークを飛ばして着火するものに於いて、前記電磁ポンプは、着火時の吐出圧力を低圧力とし、更にこの着火時に着火検知されない時間が所定時間継続した時には、吐出圧力を低圧力より高い一定圧力にシフトアップして保持し、着火動作開始から前記所定時間より長い一定時間内に着火検知されなければ、着火動作を停止させるようにしたものである。
【０００５】
これにより、着火時に電磁ポンプは、先ず低圧力で燃料供給し、エアーがみがない通常時にはこのまま着火され、爆発音や着火スモークや臭いが発生せず、良好な着火が得られるものであり、又初使用時や燃料切れからの着火では、この低圧状態ではエアーが抜けずに着火は行われないが、所定時間後には低圧力より高い一定圧力にシフトアップして強力にエアーを押し出して、確実な着火を計るものである。
【０００６】
又請求項２では、着火動作を所定時間待って着火するまで複数回繰り返すようにしたので、１回の着火動作で着火されない場合でも繰り返し着火動作することで、確実に着火することが出来、極めて使用勝手が良く安心して使用出来るものである。
【０００７】
【発明の実施の形態】
次にこの発明に係る圧力噴霧式バーナの着火制御装置を図面に示された一実施形態で説明する。
１は二重筒方式のガンタイプバーナで、給湯機の燃焼室２に取り付けられ内方の熱交換器３を加熱して、該熱交換器３内を流通する水を温水として、適所の水栓（図示せず）から供給するものである。
【０００８】
４は上記ガンタイプバーナ１内に固定された噴霧ノズル５に燃油を圧送する圧力可変方式の電磁ポンプで、該噴霧ノズル５近傍には噴霧される燃油を着火させるイグナイタ６に接続した一対の点火電極７が備えられており、更に噴霧ノズル５後方には二重筒間の間隔８及び、内筒９後方の複数の一次空気孔１０及び、内筒９先端の複数の二次空気孔１１、先端の隙間１２からそれぞれ燃焼空気を供給するＤＣモータから成る燃焼ファン１３が備えられている。
【０００９】
１４は内筒８内に備えられたスタビライザーである。
１５は水栓が開成されることで発生する水流を検知しガンタイプバーナ１の燃焼を開始させる水流スイッチである。
１６は出湯温度を検知し、所定温度以上を検知することでガンタイプバーナ１の燃焼を停止させる温度センサである。
【００１０】
次に図２に示す電気回路図のブロック図を説明すれば、１７は制御回路で入力側には、電源スイッチ１８及び水流スイッチ１５及び温度センサ１６及びｃｄｓから成る着火検知センサ１９が接続され、出力側には制御回路１７からの出力で燃焼ファン１３の回転数を制御するファン駆動制御部２０を介して該燃焼ファン１３が接続されている。
【００１１】
２１は制御回路１７の出力側に接続された位相制御回路で、該制御回路１７からの出力信号で電磁ポンプ４に印加される電圧を位相制御して吐出圧力を制御するもので、着火時には低圧力の吐出力で電磁ポンプ４を駆動させ、着火検知センサ１９による着火検知が所定時間ｔ１ここでは５秒以上継続して行われない時には、電磁ポンプ４の吐出圧力を低圧力より高い一定圧力にシフトアップして保持し、着火動作開始からの時間をカウントしている制御回路１７によって、前記所定時間ｔ１より長い一定時間Ｔここでは１５秒以内に着火検知されなければ、着火動作を一旦停止させ、そして所定時間ｔ２ここでは３秒後に再び同じ着火動作を着火するまでに３回繰り返して行うものである。
【００１２】
次にこの一実施形態の作動を図３に示すシーケンス及び図４のフローチャートに従って説明する。
今電源スイッチ１８をＯＮし、水栓の開成による水の流れを水流スイッチ１５が検知して熱要求有りとなって（ステップ２２）、ステップ２３に進みイグナイタ６及び燃焼ファン１３が駆動開始し、電磁ポンプ４は低圧力で駆動開始して燃料を噴霧ノズル５に圧送する。
【００１３】
そしてステップ２４で低圧力での電磁ポンプ４による燃油の供給の５秒間に着火が検知されたかを判断し、ＹＥＳではステップ２５に進んで定常燃焼に移行するものであり、ＮＯではステップ２６で電磁ポンプ４の吐出圧力を低圧力の２倍以上の一定圧力にシフトアップさせ、次にステップ２７で着火動作開始からの時間１５秒がカウントされるまでに着火が検知されたかを判断し、ＹＥＳではステップ２５の定常燃焼に移行し、ＮＯでは先ずステップ２８で不着火が連続３回かを判断して、３回に達していなければステップ２３に戻り、リトライを３回まで行えるもので、３回リトライしても不着火の時にはステップ２８でＹＥＳとなり、ステップ２９で不着火エラーとなり不着火状態を報知したり、再着火動作を禁止して点検、修理を促すものである。
【００１４】
従って、通常時の着火では、電磁ポンプ４を低圧力の吐出圧で作動させるので、爆発音や着火スモークや臭いが発生せず、ソフトな着火が行われて良好な着火が得られるものであり、又初使用時や燃料切れからの着火では、この低圧状態ではエアーが抜けずに不着火となり易いが、電磁ポンプ４の吐出圧力が所定時間ｔ１後には低圧力より高い一定圧力にシフトアップして強力にエアーを押し出しての着火動作に切替られて、着火しやすい状態になるので、着火の確率が高くなるものであり、しかも同じ着火動作をリトライで３回まで行われるので、確実な着火を計られるものである。
【００１５】
【発明の効果】
以上のようにこの発明によれば、着火時に電磁ポンプは、先ず低圧力で燃料供給し、エアーがみがない通常時にはこのまま着火され、爆発音や着火スモークや臭いが発生せず、良好な着火が得られるものであり、又初使用時や燃料切れからの着火では、この低圧状態ではエアーが抜けずに着火は行われないが、所定時間後には低圧力より高い一定圧力にシフトアップして強力にエアーを押し出して、確実な着火を計るものである。
【００１６】
又請求項２では、着火動作を所定時間間隔で着火するまで複数回繰り返すようにしたので、１回の着火動作で着火されない場合でも繰り返し着火動作することで、確実に着火することが出来、極めて使用勝手が良く安心して使用出来るものである。
【図面の簡単な説明】
【図１】この発明の一実施例を付したガンタイプバーナを使用した給湯機の構成図。
【図２】同電気回路のブロック図。
【図３】同着火時の電磁ポンプのタイミングチャート。
【図４】同着火時のフローチャート。
【符号の説明】
１  ガンタイプバーナ（圧力噴霧式バーナ）
２  燃焼室
４  電磁ポンプ
５  噴霧ノズル
６  イグナイタ
１３  燃焼ファン
１７  制御回路
１９  着火検知センサ
２１  位相制御回路
ｔ１、ｔ２  所定時間
Ｔ  一定時間
【図１】
2005009783.tif 000003
【図２】
2005009783.tif 000004
【図３】
2005009783.tif 000005
【図４】
2005009783.tif 000006